(57)【特許請求の範囲】
【請求項１】
垂直同期信号分離装置であって、
複合ビデオ信号に応答して、該複合ビデオ信号の画像情報が除去された水平及び垂直同期パルスを有する複合同期信号を発生する手段と、
上記複合同期信号に応答して、所定の垂直同期パルスの発生期間中第1の端子に低域通過濾波された信号を発生する低域通過フィルタと、
閾値を発生する手段と、
上記閾値に関係する上記低域通過濾波された信号のレベルを、一定量だけ下げるようにシフトし、レベルシフトした上記低域通過濾波された信号を出力する上記第1の端子に結合されたレベルシフト手段と、
上記レベルシフトされた信号に応答して、上記レベルシフトされた信号と閾値との差に従って上記垂直同期パルスの発生を表わす出力信号を発生する比較器と、
からなる垂直同期信号分離装置。
【発明の詳細な説明】
【０００１】
【産業上の利用分野】
本発明は、テレビジョン信号から垂直同期信号を検出するための回路に関するものである。
【０００２】
【従来の技術】
ＮＴＳＣ方式で特定されているような複合ベースバンド・テレビジョン信号はビデオ情報、水平同期パルス、等化パルスおよび垂直同期パルスを含んでいる。各垂直フイールド期間中、垂直同期パルスに先行して等化パルスが配置されている。各垂直フイールド期間中に幾つかの連続的に発生する垂直同期パルスが存在する。
【０００３】
代表的な垂直同期信号分離装置では、複合テレビジョン信号は、先ず、ビデオ情報を除去し、同期パルスに対するスライスレベルと称される同期パルスを検出するための閾値レベルを設定し、複合同期信号を生成する通常の処理段で処理される。複合同期信号はＲ−Ｃ低域通過フィルタの入力に供給され、該低域通過フィルタは比較器の入力端子に低域通過濾波された信号を供給する。この比較器によって垂直同期信号分離器の出力信号である垂直周波数の出力信号が生成される。
【０００４】
比較器は市販の集積回路ＲＣＡ  ＣＡ３２１８Ｅのような集積回路（ＩＣ）に含ませることができる。このようなＩＣでは、比較器の入力閾値レベルは、ＩＣの内部に含まれた＋２．１ボルト乃至＋２．８ボルトの許容範囲内にある積層ダイオードによって決定される所定の値をもっている。
【０００５】
複合テレビジョン信号にノイズが含まれず、ＮＴＳＣのようなテレビジョン方式に適合したものであるときは、水平同期パルス、等化パルスのいずれかに対応するパルスから生成された比較器の入力端子における各低域通過濾波されたパルスのピーク値は比較器の閾値レベルよりも小さい。従って、比較器の出力にはパルスは発生しない。これに対して、例えば、最後の等化パルスパルスに続いて生ずる最初の垂直同期パルスから発生される比較器の入力端子における低域通過濾波されたパルスのピーク値は閾値電圧を超過する。従って、垂直同期パルスを表わす比較器の出力信号のパルスが発生される。
【０００６】
【発明が解決しようとする課題】
受信した複合テレビジョン信号が非標準信号である可能性もある。このような非標準テレビジョン信号の場合は、同期パルスの振幅はテレビジョン信号のルミナンス部分の振幅に比して減衰されており、この状態はしばしば抑圧同期パルスと云う用語で表される。テレビジョン信号は、テレビジョン受像機外のノイズ発生信号源によって発生された同期信号状のパルスを含むことがある。テレビジョン信号の状態が上記のいずれの状態であっても、前述の理想的な状態から外れて比較器の入力端子における信号レベルが、最初の垂直同期パルスの発生前に比較器の閾値電圧を超過する可能性があると云う不都合がある。
【０００７】
本発明の特徴によれば、比較器の入力端子に発生した電圧は、比較器のノイズマージン、すなわち保護バンドを大きくするようにレベルシフトされる。
【０００８】
【課題を解決するための手段】
本発明を実施した垂直同期信号分離装置は、画像情報を取り除いた複合同期信号を発生するための構成を含んでいる。低域通過フイルタは複合同期信号に応答して、所定の垂直同期パルスの発生期間中第１の端子に低域通過濾波された信号を発生する。比較器は第１の端子に発生した低域通過濾波された信号に応答して、垂直同期パルスの発生を表わす出力信号を発生する。上記第１の端子に結合された装置は、低域通過濾波された信号に対してレベルシフトを与える。
【０００９】
【作用】
本発明によれば、第１の端子に発生した低域通過濾波された信号は、比較器のノイズマージン、すなわち保護バンドが大きくなる方向にレベルシフトされるから、比較器が所望の垂直同期パルスにのみ応答して、正確に垂直同期パルスの発生を表わす信号を発生することができる。
【００１０】
【実施例】
図１において、テレビジョン受像機の通常のビデオ検波器（図示せず）から取出された例えばＮＴＳＣ方式の複合ベースバンドビデオ信号２０は、出力トランジスタ２２を有する複合同期分離段２１に供給される。電源電圧＋１２ボルトはトランジスタ２２のエミッタに供給され、該トランジスタ２２のコレクタはコレクタ負荷抵抗２３および低域通過フイルタ２４に接続されている。
【００１１】
信号２０の同期パルスは同期増幅段２１ａからキャパシタ２２１を経て同期分離トランジスタ２２のベースに供給される。各負方向同期パルス期間中は、キャパシタ２２１中の電荷はトランジスタ２２のエミッタ−ベース接合、キャパシタ２２１、抵抗２２６、２２７、２２８を経て流れる電流により補給される。各負方向同期パルス期間中、トランジスタ２２は飽和状態にある。同期パルス相互間の期間中は、キャパシタ２２１は抵抗２２５を経て僅かに放電し、トランジスタ２２は非導通状態にある。キャパシタ２２１の両端間に発生する定常電圧は、各同期パルスの最大振端におけるチップ部分に関連するスライスレベルの閾値を決定する。抵抗２２３とキャパシタ２２４との並列接続回路とこれに直列接続されたダイオード２２２とからなる回路はキャパシタ２２１と並列に接続されており、垂直同期パルス期間中におけるスライスレベルの変化を減少させる。水平同期パルスと等化パルスのエネルギ量は少ないので、ダイオード２２２中に充分なダイオード電流を流通させるには不十分で、キャパシタ２２４は水平同期パルスおよび等化パルス期間中、実効的に分離される。
【００１２】
水平同期パルス、等化パルス、垂直同期パルスのいずれかが生ずると、約＋１２ボルトのピークレベルのパルス電圧がトランジスタ２２のコレクタに発生して複合同期信号２２ａを生成する。このようにして、複合同期分離段２１は同期スライスレベルを設定して通常の態様で複合同期信号２２ａからビデオ画像情報を取り除く。例えば、所定の水平ラインの画像ビデオ部分の期間中はコレクタ電圧は０ボルトである。信号２２ａは低域通過フイルタ２４を経て、ＲＣＡ  ＣＡ３２１８Ｅ形のＩＣ１０中に含まれる比較段２５のトランジスタＱ１０６のベース電極に供給される。
【００１３】
ＩＣ１０にはさらにビデオ信号２０の水平同期パルスに同期した通常の信号源(図示せず)から供給される約１６ＫＨｚの水平周波数ｆＨの信号ＨＯＲが供給される。ＩＣ１０中には垂直カウントダウン回路（図示せず）が設けられている。ＩＣ１０の垂直同期ウインドウ発生器１対１は２７３番目の水平ラインで開始し、例えば最初の垂直同期パルスが検出されると終了する。ウインドウ期間中、パルス信号ＷＩＮＤＯＷを発生する。パルス信号ＷＩＮＤＯＷはウインドウ付勢トランジスタＱチャネル１０４のベース電極に供給される。ウインドウ期間以外の期間中はトランジスタＱチャネル１０４がターオンするからトランジスタＱ１０６のベースは接地電位にある。ウインドウ期間中、低域通過フィルタ２４によって発生されてピン４に生ずる入力電圧ＶＩＮはトランジスタＱ１０６のベースに現れる。
【００１４】
比較器２５の基準電圧ＶREF は直列接続された、すなわちトランジスタＱ６７、Ｑ６８、Ｑ７０、Ｑ７２の積層されたベース−エミッタ接合の両端間に発生する。電圧ＶINが上記基準電圧ＶREF によって決定される比較器２５の閾値電圧を超過すると、比較器２５のトランジスタＱ１０７は非導通状態になり、トランジスタＱ１０５のコレクタ電極に出力パルスＶＳを発生する。比較器２５の閾値電圧は＋２．１ボルト乃至＋２．８ボルトの許容範囲をもっている。
【００１５】
パルスＶＳはＩＣ１０中に含まれるある段（図示せず）に供給されて、垂直駆動段２６に供給される垂直駆動信号ＶＤが発生される。段２６は、複合ベースバンド・ビデオ信号２０の垂直同期パルスに同期したパルスＶＳに同期した垂直偏向電流を垂直偏向巻線２７中に発生させる。所定のフイールド期間中に連続して生ずる垂直同期パルス中の最初に生ずる垂直同期パルスの持続期間中に、パルスＶＳが発生されるように回路成分ならびに電源電圧が選択されている。
【００１６】
低域通過フイルタ２４は、直列接続された抵抗２８および３０と、これらの抵抗の相互に接続された点６０とアースとの間に接続された濾波キャパシタ２９と、アースとＩＣ１０のピン４との間に接続されたキャパシタ３１とを具備している。この発明の特徴を実施した負電流源３２は、上記接続点６０と−１０ボルトの負電圧源−Ｖ2 との間に接続された抵抗Ｒを含んでいる。
【００１７】
複合ビデオ信号２０にノイズが含まれておらず、しかもＮＴＳＣ方式のような標準方式に適合している場合は、水平同期パルス、等化パルスのいずれの対応するパルスから生成される比較器２５の入力端子、すなわちピン４における各低域通過濾波パルスも、そのピーク電圧は比較器２５の閾値レベルよりも小さい。従って、この場合はパルスＶＳは発生されない。これに対して最初に発生した垂直同期パルスから生成されて比較器２５の入力端子に供給された低域通過濾波されたパルスのピーク電圧は閾値電圧を超過し、比較器２５はパルスＶＳを発生する。
【００１８】
図２ａは非標準信号であるビデオ信号２０の波形の一部を示す。同期パルスの大きさはは２０ＩＲＥレベルであり、ルミナンス信号の大きさは１００ＩＲＥレベルである。このような非標準信号では、ルミナンス信号の大きさに対する同期パルスの大きさは標準信号の場合よりも小さい。図２ｂは電圧ＶINの対応する部分の波形を示す。図１、図２ａ、図２ｂで同じ項目、同じ機能を表すものについては同じ符号、数字で示している。
【００１９】
このような図２ａの非標準信号２０を使用すると、図１の段２１で設定されるスライスレベルは、信号２０が標準信号の場合よりも同期パルスの先端から皿に離れて同期パルスのペデスタルに近いレベルに設定される。その結果、トランジスタ２２のコレクタに発生するパルス信号２２ａの所定のパルス信号の幅は、信号２０が標準信号の場合よりも大きくなる。説明の都合上、電圧源-Ｖ２に結合された抵抗Ｒが図１の回路中に含まれていないと仮定する。従って、このような非標準信号を使用すると、等化パルスによって発生された電圧ＶＩＮのピークレベルは図２ｂに示すように+３．５ボルトのピークレベルにある。図1の比較器２５の許容範囲は+２．１ボルト乃至+２．８ボルトの範囲にあるから、等化パルスの存在によって垂直同期パルスの発生前にパルスＶＳが発生するという不都合が生ずる。
【００２０】
【発明の効果】
本発明によれば、図１の回路中に抵抗Ｒ２と電圧−Ｖ2 の電源装置が含まれているので、等化パルスによって生成された電圧ＶINのピークレベルはレベルシフトされ、図２ｂに示すようにピークレベルは＋１．５ボルトになる。従って、レベルシフトされた電圧ＶINは等化パルスが発生するとき比較器２５の閾値レベル以下になるという効果がある。
【００２１】
さらにテレビジョン受像機の近くにある好ましくない信号発生器によって生ずる可能性のあるノイズは信号２２ａ中に同期パルス状のパルスＮを発生することがある。抵抗Ｒおよび電圧−Ｖ2 が存在しなければ、信号２０が標準テレビジョン信号である場合も、パルスＮは第１の垂直同期パルスの発生前に比較器２５の閾値電圧を超過するピーク振幅をもった電圧ＶINを発生するという不都合が生ずる可能性がある。本発明によれば、次に述べる理由により、このような不都合なピーク振幅をもった電圧ＶINの発生を防止することができる。
【００２２】
第１の垂直同期パルスの持続期間中、図２ｂの電圧ＶINは図１の比較器２５の閾値レベルを超過するピークレベルに達する。電圧ＶINが比較器２５の閾値レベルを超過すると、ウインドウ発生器１１はトランジスタＱ１０４をターンオンする。これによって図２ｂの電圧ＶINは０になる。
【００２３】
電圧ＶINが抵抗Ｒおよび電圧−Ｖ2 によってレベルシフトされた結果、比較器２５のノイズマージンすなわち保護バンドが拡大される。従って、比較器２５の入力におけるノイズに関連する同期パルス状パルスによって生成された電圧ＶINがノイズの結果として比較器２５の＋２．１ボルトの最小閾値レベルを超過する可能性は減少する。しかも抵抗Ｒは垂直同期パルスによって生成された電圧ＶINの一部のピーク−ピーク振幅をそれほど減衰させることはないという効果もある。
【００２４】
ダイオードＤは、ビデオ信号２０が存在しないときにＩＣ１０のピン４に相当な大きさの負電圧が発生するのを防止するために電圧ＶINを約０ボルトにクランプするために使用されている。−Ｖ2 によって発生される可能性のあるこのような負電圧はＩＣ１０中にラッチアップを生じさせることがある。ダイオードＤとＩＣ１０のピン４との間に低域通過フイルタ２４の抵抗３０を接続することによって、ダイオードＤがピン４と抵抗３０との間に接続されている場合よりもピン４を流れる負電流は小さくなるという効果が得られる。
【図面の簡単な説明】
【図１】本発明を実施した垂直同期分離器を含む偏向装置を一部を詳細な回路図の形で、他の一部をブロックの形で示した図である。
【図２】（ａ）、（ｂ）は図１の回路の動作を説明するのに有効な波形を示す図である。
【符号の説明】
４        第１端子
２０      複合ビデオ信号
２２      トランジスタ
２３      抵抗
２２ａ    複合同期信号
２５      比較器
２８      抵抗
２９      濾波キャパシタ
３０      抵抗
３１      キャパシタ
Ｑ１０６  トランジスタ
Ｑ１０９  トランジスタ
ＶIN      低域通過濾波された信号
ＶD       出力信号
Ｒ        抵抗
【図１】
0003649746.tif 000002
【図２】
0003649746.tif 000003